(57)【要約】【課題】間隔をあけて吊り荷に掛けた少なくとも２本の吊り線材を、クレーンの掛留部に共通に玉掛けして吊り荷を吊り上げる場合であっても、吊り線材が吊り荷の重心位置に向かって位置ずれを起こすことがなく、安定した吊り作業を行うことができる、吊り治具を提供する。【解決手段】吊り治具は、吊り荷の上面に載置される本体部と、本体部に設けられ、吊り荷に掛けた吊り線材の水平方向の移動を規制する規制部と、を有している。本体部は、４つの角部を有する形状である。規制部は、本体部の各角部に設けられている。【選択図】図２
2020090343.tif 000002
【特許請求の範囲】
【請求項１】
間隔をあけて吊り荷に掛けた少なくとも２本の吊り線材を、クレーンの掛留部に共通に玉掛けして前記吊り荷を吊り上げる際に使用する吊り治具であって、
前記吊り荷の上面に載置される本体部と、前記本体部に設けられ、前記吊り荷に掛けた前記吊り線材の水平方向の移動を規制する規制部と、を有している、吊り治具。
【請求項２】
前記本体部は、４つの角部を有する形状であり、
前記規制部は、前記本体部の各角部に設けられている、請求項１に記載の吊り治具。
【請求項３】
前記本体部は、間隔をあけて配置された対向する１対の第１鋼材と、１対の前記第１鋼材の各端部を繋ぐ対向する１対の第２鋼材と、を組み合わせて形成された構成である、請求項２に記載の吊り治具。
【請求項４】
前記本体部の一方の対向する縁辺には、下方に向かって突き出し、前記吊り荷の当接した上面を跨ぐように配置されたフランジ部が設けられている、請求項２又は３に記載の吊り治具。
【請求項５】
前記本体部の上面には、連結部が設けられており、
前記連結部には、前記クレーンの前記掛留部に掛けられる保持線材が取り付けられている、請求項１〜４のいずれか一項に記載の吊り治具。
【請求項６】
前記規制部は、フック形状である、請求項１〜５のいずれか一項に記載の吊り治具。
【発明の詳細な説明】
【技術分野】
【０００１】
本発明は、クレーンの掛留部に吊り線材を玉掛けして吊り荷を吊り上げる場合に使用される吊り治具に関する。
【背景技術】
【０００２】
従来、間隔をあけて吊り荷に掛けた複数本の吊り線材を、クレーンの掛留部に玉掛けして吊り荷を吊り上げる方法が知られている。例えばクレーンには、掛留部として複数のフックが一列に間隔をあけて設けられた構成がある。吊り荷の長さが長尺である場合、２つ以上のフックを使用することにより、間隔をあけて配置した吊り線材を対応するフックに掛けて吊り上げることができるので、吊り線材が位置ずれを起こすことがなく、安定した吊り作業が行える。
【０００３】
しかし、吊り荷の長さが短尺であり、その幅寸が複数のフックのうち隣り合うフックの間隔よりも短い場合、或いはクレーンがフックを１つしか備えていない場合には、間隔をあけて吊り荷に掛けた複数本の吊り線材を、クレーンの１つのフックに共通に玉掛けして吊り荷を吊り上げる必要がある。
【０００４】
２本の吊り線材をクレーンのフックに共通に玉掛けして吊り荷を吊り上げる場合、吊り線材間の中心位置を吊り荷の中心と一致させて、吊り線材による吊り上げ力が吊り荷の重心に正しく作用するようにバランスを取る必要がある。しかし、吊り荷を吊り上げた際に、吊り線材に張力が生じ、該吊り線材が吊り荷の重心位置に向かって位置ずれを起こし、吊り荷の左右のバランスが崩れて不安定になるおそれがある。
【０００５】
例えば特許文献１では、吊り荷に掛けた吊り紐を連結する１対の連結具が開示されている。連結具は、棒と、棒の両端部付近にそれぞれ設けられた２つのフックと、棒の中腹部に設けられた溝と、で構成されている。一方の連結具は、吊り荷の一方の側方において上方に延伸する２つの吊り紐に各フックが掛け留められる。他方の連結具は、吊り荷の他方の側方において上方に延伸する吊り紐に各フックが掛け留められる。２本の連結具は、中腹部に設けられた溝を通るように架け渡された紐で連結され、該紐によって互いに近付く方向に締め上げられる。
【先行技術文献】
【特許文献】
【０００６】
【特許文献１】実用新案登録第３１９００９７号公報
【発明の概要】
【発明が解決しようとする課題】
【０００７】
特許文献１に開示された連結具を用いて吊り荷を安定させて支持するためには、吊り荷の一方の側方に設けた連結具と、吊り荷の他方の側方に設けた連結具と、を同じ高さに取り付けなければならない。しかし、位置が固定されていない吊り紐に取り付けた左右の連結具は、互いに位置関係が決まっておらず、フックの高さ調整が難しい。特に、大きさ及び形状の異なる鋼板を複数枚積み重ねて吊り上げる場合においては困難である。そのため、何度も吊り紐の掛け直し作業を余儀なくされる。また、吊り荷が不安定な状態で、一対の連結具を紐で架け渡し、互いに近付く方向に締め上げるとなると、更にバランスを崩すおそれがあり、安定した吊り作業を行うことが難しい。
【０００８】
本発明は、上記の課題を解決するものであり、間隔をあけて吊り荷に掛けた少なくとも２本の吊り線材を、クレーンの掛留部に共通に玉掛けして吊り荷を吊り上げる場合であっても、吊り線材が吊り荷の重心位置に向かって位置ずれを起こすことがなく、安定した吊り作業を行うことができる、吊り治具を提供することを目的とする。
【課題を解決するための手段】
【０００９】
本発明に係る吊り治具は、間隔をあけて吊り荷に掛けた少なくとも２本の吊り線材を、クレーンの掛留部に共通に玉掛けして前記吊り荷を吊り上げる際に使用する吊り治具であって、前記吊り荷の上面に載置される本体部と、前記本体部に設けられ、前記吊り荷に掛けた前記吊り線材の水平方向の移動を規制する規制部と、を有しているものである。
【発明の効果】
【００１０】
本発明に係る吊り治具によれば、間隔をあけて吊り荷に掛けた少なくとも２本の吊り線材を、クレーンの掛留部に共通に玉掛けして吊り荷を吊り上げる場合であっても、規制部によって吊り線材の水平方向の移動を規制できるので、吊り線材が吊り荷の重心位置に向かって位置ずれを起こすことがなく、安定した吊り作業を行うことができる。
【図面の簡単な説明】
【００１１】
【図１】本発明の実施の形態に係る吊り治具を吊り荷の上面に載置させた状態を示した斜視図である。
【図２】本発明の実施の形態に係る吊り治具を使用して吊り荷に吊り線材を掛けた状態を示した斜視図である。
【図３】本発明の実施の形態に係る吊り治具を示した斜視図である。
【図４】本発明の実施の形態に係る吊り治具における規制部の異なる形態を示した拡大図である。
【図５】本発明の実施の形態に係る吊り治具における規制部の異なる形態を示した拡大図である。
【図６】本発明の実施の形態に係る吊り治具を使用して玉掛けした吊り荷を吊り上げる様子を示した斜視図である。
【図７】本発明の実施の形態に係る吊り治具のみを吊り上げる様子を示した斜視図である。
【発明を実施するための形態】
【００１２】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１３】
実施の形態．
図１は、本発明の実施の形態に係る吊り治具を吊り荷の上面に載置させた状態を示した斜視図である。図２は、本発明の実施の形態に係る吊り治具を使用して吊り荷に吊り線材を掛けた状態を示した斜視図である。図３は、本発明の実施の形態に係る吊り治具を示した斜視図である。
【００１４】
本実施の形態に係る吊り治具１は、図１及び図２に示すように、間隔をあけて吊り荷５に掛けた２本の吊り線材６を、クレーン７の掛留部７０に共通に玉掛けして吊り荷５を吊り上げる際に使用するものである。掛留部７０は、一例としてフックである。吊り線材６は、一例としてワイヤーであり、掛留部７０に玉掛けするリング部６０が両端部に形成されている。
【００１５】
吊り荷５は、図１及び図２に示すように、一例として波形断面の鋼製デッキプレート５０を複数枚積み重ねたものである。図示した吊り荷５は、鋼製デッキプレート５０を６枚積み重ねて結束部材５２で結束したものを、中間に木材等の介在部材５１を挟んで上下に配置した構成である。因みに、鋼製デッキプレート５０は、山頂面部と、山頂面部に略平行な谷底面部と、山頂面部と谷底面部とを連結する傾斜面部と、を有し、山頂面部と谷底面部とが交互に連なる構成である。鋼製デッキプレート５０の寸法は、一例として厚さ０．６ｍｍ〜２．３ｍｍ程度、高さ５０ｍｍ〜１２０ｍｍ（山高）程度である。図示した鋼製デッキプレート５０は、山頂面部及び谷底面部が延びる方向（Ｘ方向）の長さが短尺であり、平面的に見た縦横の寸法が、例えば６００ｍｍ×６００ｍｍである。鋼製デッキプレート５０は、山頂面部及び谷底面部が延びる方向（Ｘ方向）の長さが例えば約２６００ｍｍ以下のものを短尺として取り扱われる。
【００１６】
なお、吊り荷５は、図示した鋼製デッキプレート５０に限定されず、他の部材でもよい。また、吊り荷５は、図示した複数枚の鋼製デッキプレート５０を積み重ねた構成に限定されず、例えば１枚の鋼製デッキプレート５０で構成してもよい。
【００１７】
吊り治具１は、図１〜図３に示すように、吊り荷５の上面に載置される本体部２と、本体部２に設けられ、吊り荷５に掛けた吊り線材６の水平方向の移動を規制する規制部３と、を有している。吊り治具１は、例えば一般構造用圧延鋼材（ＳＳ材）等の強度及び耐久性に優れた鋼材で形成されている。
【００１８】
本体部２は、図３に示すように、間隔をあけて配置された対向する１対の第１鋼材２０と、１対の第１鋼材２０の各端部を繋ぐ対向する１対の第２鋼材２１とを組み合わせて中央に開口を有する長方形状とした構成である。第１鋼材２０と第２鋼材２１とは、例えば溶接で接合されている。図示した第１鋼材２０は、帯状の鋼板であり、吊り荷５の溝幅方向（Ｚ方向）に沿って配置されている。第１鋼材２０の長さは、吊り荷５の溝幅方向（Ｚ方向）の幅寸と略同じである。また、図示した第２鋼材２１は、アングル材であり、吊り荷５の山頂面部及び谷底面部が延びる方向（Ｘ方向）に沿って配置されている。第２鋼材２１の長さは、吊り荷５の形状及び大きさに合わせて適宜変更して設計される。
【００１９】
また、本体部２の一方の対向する縁辺には、下方に向かって突き出し、吊り荷５の当接した上面を跨ぐように配置されたフランジ部２１ａが設けられている。本実施の形態では、フランジ部２１ａは、アングル材の屈曲面に相当する。つまり、アングル材から成る第２鋼材２１の屈曲面が、下方に向けて配置され、鋼製デッキプレート５０の山頂面部を跨いで配置されている。これは、例えば衝撃等で本体部２が位置ずれを起こした場合であっても、当該屈曲面が鋼製デッキプレート５０の山頂面部に突き当たって、吊り荷５の上面から本体部２が落下しないよう保持し、作業者が安全且つ安心して作業を行うためである。
【００２０】
また、本体部２には、１対の第１鋼材２０の中間に、該第１鋼材２０に並列させて設けられた第３鋼材２２を有している。第３鋼材２２は、第１鋼材２０と同じ鋼板で形成されており、その両端部が第１鋼材２０と共に第２鋼材２１に溶接で接合されている。
【００２１】
なお、本体部２は、図示した構成に限定されず、例えば一枚の鋼板で形成してもよいし、その他の形態でもよい。また、第１鋼材２０は、図示した鋼板に限定されず、例えば角鋼、丸鋼又は鋼管等でもよい。同様に、第２鋼材２１は、図示したアングル材に限定されず、例えば鋼板、角鋼、丸鋼又は鋼管等でもよい。
【００２２】
また、図示することは省略したが、本体部２は、第１鋼材２０の長さ及び第２鋼材２１の長さを調整できる可変機構を設けた構成としてもよい。可変機構は、例えば各第１鋼材２０を２つの鋼材で構成し、スライド可能に組み合わせて目標の位置で固定できるようにした構成が考えられる。第２鋼材２１についても同様である。本体部２に可変機構を設けることにより、吊り作業を行う現場において、第１鋼材２０の長さ及び第２鋼材２１の長さを吊り荷５の形状及び大きさに合わせた適切な長さに調整できる。
【００２３】
本体部２の上面には、図１〜図３に示すように、倒立Ｕ字状をなす連結部４が設けられている。連結部４は、第３鋼材２２の上面に固定されたボルト４０を介して、第３鋼材２２の略中央に設けられている。連結部４には、クレーン７の掛留部７０に掛けられる保持線材８の一端部が取り付けられている。保持線材８は、例えば鎖で構成されており、他端部にクレーン７の掛留部７０に掛けるリング部８０が設けられている。つまり、吊り治具１は、所定に位置まで運ばれた吊り荷５から吊り線材６を外した後、保持線材８を介してクレーン７で吊り上げられ、次の吊り荷５の位置まで移動させることができる。なお、連結部４は、図示した構成に限定されず、例えばフック状のような形態でもよいし、第３鋼材２２に保持線材８を通す開口を設けた構成でもよい。
【００２４】
規制部３は、本体部２の各角部にそれぞれ設けられている。規制部３は、フック形状とされ、吊り線材６を容易に掛け留めることはでき、且つ吊り線材６の水平方向の移動を確実に規制できる構成とされている。図示例の場合、フック形状の規制部３は、鋼製デッキプレート５０の溝幅方向（Ｚ方向）に対向する規制部３が、開放部分を対向させて配置されている。規制部３は、２つの吊り線材６が吊り荷５の重心位置に向かって互いに寄る方向への動きを規制する。なお、規制部３は、図３に示すように、例えば本体部２の上面に固定されたボルト３０を介して、第２鋼材２１の上面に取り付けられている。
【００２５】
図４及び図５は、本発明の実施の形態に係る吊り治具における規制部の異なる形態を示した拡大図である。規制部３は、図４に示すように第２鋼材２１の長手方向の両端部を延伸させた構成でもよいし、図５に示すように第２鋼材２１の一部のみを長手方向に沿って延伸させた構成でもよい。或いは、規制部３は、第２鋼材２１の一部に突起を設けた構成でもよい。要するに、規制部３は、吊り荷５に掛けた吊り線材６の水平方向の移動を規制することができればよく、様々な形態で実施できる。
【００２６】
次に、図１及び図２を参照しつつ、図６及び図７に基づき、本実施の形態に係る吊り治具１を使用して、玉掛した吊り荷５を吊り上げる手順を説明する。図６は、本発明の実施の形態に係る吊り治具を使用して玉掛けした吊り荷を吊り上げる様子を示した斜視図である。図７は、本発明の実施の形態に係る吊り治具のみを吊り上げる様子を示した斜視図である。
【００２７】
先ず、図１及び図２に示すように、吊り治具１を吊り荷５の上面の略中央に載せる。次に、吊り治具１を挟んだ両側のそれぞれにおいて、吊り線材６を吊り荷５に掛ける。吊り線材６は、吊り荷５の下面に潜らせて掛けられると共に、両端部のリング部６０をクレーン７の掛留部７０に掛けられる。また、連結部４に取り付けられた保持線材８のリング部８０をクレーン７の掛留部７０に掛ける。吊り線材６は、図６に示すように、クレーン７に吊り上げられて突っ張った状態で、吊り治具１の規制部３に掛け留められて位置決めされる。吊り線材６を吊り治具１の規制部３に掛け留める作業は、作業者が例えば手鉤等を用いて容易に行うことができる。そして、クレーン７によって吊り上げた吊り荷５を、所定の位置へ移動させる。このとき、吊り線材６に張力が生じ、吊り線材６が吊り荷５の重心位置に向かって移動しようとしても、規制部３によって吊り線材６の水平方向の移動が規制されるので、吊り荷５の左右のバランスが保たれる。所定の位置まで吊り荷５を運んだ後、吊り線材６をクレーン７及び吊り荷５から取り外す。そして、図７に示すように、保持線材８を介してクレーン７で吊り治具１のみを吊り上げて、吊り治具１を次の吊り荷５の位置まで移動させる。
【００２８】
上記したように、本実施の形態に係る吊り治具１では、吊り荷５の上面に載置される本体部２と、本体部２に設けられ、吊り荷５に掛けた吊り線材６の水平方向の移動を規制する規制部３と、を有している。具体的には、本体部２が４つの角部を有する形状であり、規制部３が、本体部２の各角部に設けられている。よって、本実施の形態に係る吊り治具１は、間隔をあけて吊り荷５に掛けた少なくとも２本の吊り線材６を、クレーン７の掛留部７０に共通に玉掛けして吊り荷５を吊り上げる場合であっても、規制部３によって吊り線材６の水平方向の移動を規制できるので、吊り線材６が吊り荷５の重心位置に向かって位置ずれを起こすことがなく、安定した吊り作業を行うことができる。また、吊り治具１は、吊り荷５に吊り線材６を掛ける際において、規制部３で吊り線材６を位置決めできるので、吊り線材６の掛け直し作業を行う必要もなく、吊り作業の作業効率を向上させることもできる。
【００２９】
また、本体部２は、間隔をあけて配置された対向する１対の第１鋼材２０と、１対の第１鋼材２０の端部を繋ぐ対向する１対の第２鋼材２１とを組み合わせて形成された構成である。よって、吊り治具１は、軽量化を図りつつ、クレーン７の掛留部７０に玉掛けした吊り線材６に耐え得る強度を有することができる。
【００３０】
また、本体部２の一方の対向する縁辺には、下方に向かって突き出し、吊り荷５に当接した上面を跨ぐように配置されたフランジ部２１ａが設けられている。よって、吊り治具１は、例えば衝撃等を受けて本体部２が位置ずれを起こしたとしても、当該フランジ部２１ａが吊り荷５の上面の一部に突き当たって保持されるので、不用意に吊り荷５から落下したりすることがない。
【００３１】
また、本体部２の上面には、連結部４が設けられている。連結部４には、クレーン７の掛留部７０に掛けられる保持線材８が取り付けられている。つまり、吊り治具１は、所定の位置まで運ばれた吊り荷５から吊り線材６を外した後、保持線材８を介してクレーン７で吊り上げられ、次の吊り荷５の位置までスムーズに移動させることができるので、使い勝手がよく、吊り作業の作業効率を高めることができる。
【００３２】
また、規制部３は、フック形状とした簡易な構造である。よって、吊り治具１は、吊り線材６を容易に掛け留めることはでき、且つ本体部２の重心位置への移動を確実に規制できる。
【００３３】
以上に本発明を実施の形態に基づいて説明したが、本発明は上述した実施の形態の構成に限定されるものではない。例えば、本体部２は、図示した長方形状に限定されず、例えばＨ形状等の４つの角部を有する形状であればよい。また、吊り治具１は、必ずしも連結部４を設ける必要はなく、省略してもよい。要するに、本発明は、その技術的思想を逸脱しない範囲において、当業者が通常に行う設計変更及び応用のバリエーションの範囲を含むものである。
【符号の説明】
【００３４】
１  吊り治具、２  本体部、３  規制部、４  連結部、５  吊り荷、６  吊り線材、７  クレーン、８  保持線材、２０  第１鋼材、２１  第２鋼材、２１ａ  フランジ部、２２  第３鋼材、３０、４０  ボルト、５０  鋼製デッキプレート、５１  介在部材、５２  結束部材、６０  リング部、７０  掛留部、８０  リング部。
【図１】
2020090343.tif 000003
【図２】
2020090343.tif 000004
【図３】
2020090343.tif 000005
【図４】
2020090343.tif 000006
【図５】
2020090343.tif 000007
【図６】
2020090343.tif 000008
【図７】
2020090343.tif 000009